(57)【要約】【課題】見た目の悪さや腰掛けた状態での違和感・不快感を与えることなく、浅く腰掛けた状態での身体の前滑りを阻止する。【解決手段】座板１４のうち前部を除いた相当範囲は正面視で凹凸がないノーマル面部１４ａになっており、座板１４の前部は、サドル部２７の左右両側に凹所２８が存在して凹凸面部１４ｂになっている。ノーマル面部１４ａを下向き傾斜させて凹所２８と成すことで、ノーマル面部１４ａに連続したサドル部２７を形成している。サドル部２７により、浅く腰掛けた状態での身体の前滑りを阻止できる。凹凸面部１４ｂの形状はクッション１５に表れていないため視覚的に嫌悪感を受けることはない。ノーマル面部１４ａが広い範囲に広がっているため、深く腰掛けても違和感は受けない。【選択図】図４
2014046127.tif 000002
【特許請求の範囲】
【請求項１】
座を構成する座板に、人が浅く腰掛けても身体が前向きにずれないように保持するサドル部を設けている構成であって、
前記座板のうち浅く腰掛けた人の臀部が当たる前部を除いた部分の上面は、正面視及び縦断側面視で凹凸がないノーマル面部になっている一方、
前記座板の前部の上面は、左右中間部に位置したサドル部の左右両側に下向きの凹所を配置した凹凸面部になっており、前記サドル部は、前記ノーマル面部を全く又は殆ど前傾させることなく手前に延長させた形態であり、前記左右の凹所は、手前に行くに従って徐々に深くなるように前記ノーマル面部とサドル部とに滑らかに連続している、
椅子。                                                                          
【請求項２】
前記座板の上面には表皮材で覆われたクッションが張られている、
請求項１に記載した椅子。
【請求項３】
前記座板の凹凸面部はクッションに顕れておらず、クッションの上面全体が正面視で凹凸のないノーマル面になっている、
請求項２に記載した椅子。
【請求項４】
前記座は、床に立った人が大腿部を傾斜させた中腰だと浅く腰掛けできるが深く腰掛けると足が床に届かない高さに脚装置で保持されており、前記脚装置に、人が前記座に深く腰掛けた状態で足を載せるステップ手段を設けている、
請求項１〜３うちのいずれかに記載した椅子。
【請求項５】
人が浅く腰掛けても身体が前向きにずれないように保持するサドル部を有する座板であって、
前記座板のうち浅く腰掛けた人の臀部が当たる前部を除いた部分の上面は、正面視及び縦断側面視で凹凸がないノーマル面部になっている一方、
前記座板の前部の上面は、左右中間部に位置したサドル部の左右両側に下向きの凹所を配置した凹凸面部になっており、前記サドル部は、前記ノーマル面部を全く又は殆ど前傾させることなく手前に延長させた形態であり、前記左右の凹所は、手前に行くに従って徐々に深くなるように前記ノーマル面部とサドル部とに滑らかに連続している、
椅子の座板。
【発明の詳細な説明】
【技術分野】
【０００１】
本願発明は、人が浅く腰掛けても身体が前滑りしないように保持するサドル部を座に形成している椅子、及び前滑り防止用サドル部を設けた座板に関するものである。
【背景技術】
【０００２】
椅子の１つのタイプとして、座の高さを通常の椅子より高い高さに設定して、人が大腿部を傾斜させた中腰気味で浅く腰掛けできるようにした椅子（ハイ・ポジション・チェア）があり、例えば、立ち仕事が多くて移動も頻繁に行うように作業環境での使用に供されている。このハイ・ポジション・チェアに浅く腰掛けた状態で（所謂、チョン掛け又はチョイ掛けした状態）で作業を行う場合、大腿部が傾斜しているため身体が前滑りする傾向を呈することがある。
【０００３】
この点については、座の前部を高くして臀部に対する引っ掛かりを良くしたらよいと考えられるが、これでは座の前端縁が人の大腿部が圧迫される問題がある。他方、例えば特許文献１〜３に記載されているように、座面に前後長手のサドル部を設けた椅子があり、ハイ・ポジション・チェアの座にサドル部を設けることで身体の前滑りを阻止することも考えられる。
【先行技術文献】
【特許文献】
【０００４】
【特許文献１】実開昭６０−１２６０４４号のマイクロフィルム
【特許文献２】特開２００８−１１９１８２号公報
【特許文献３】特許第４０１８３２９号公報
【発明の概要】
【発明が解決しようとする課題】
【０００５】
特許文献１〜３に記載されている従来のサドル部は座の略全長にわたって長く延びるように形成されており、従って、座面には、サドル部の左右両側に位置した谷部（凹部、溝部）が略全長にわたって形成されている。つまり、座面が略全長にわたって正面視凹凸形状になっている。
【０００６】
この座面の凹凸形状は身体の前滑り抑止効果に優れていると言えるが、腰掛けるというより「跨がる」というイメージが強いため、視覚的に嫌悪感を与えることがあるのみならず、実際に腰掛けても違和感・不快感を与えることがある。特に、使用者が女性である場合は、嫌悪感・違和感を持つことが多い。
【０００７】
本願発明はこのような現状に鑑み成されたものであり、使用者に嫌悪感や違和感を与えることなくサドル部の持つ滑り阻止機能を発揮できるようにすることを目的とするものである。
【課題を解決するための手段】
【０００８】
本願発明は椅子と座板を対象にしており、このうち椅子は、座を構成する座板に、人が浅く腰掛けても身体が前向きにずれないように保持するサドル部を形成している基本構成である。
【０００９】
そして、請求項１の発明は、上記基本構成において、前記座板のうち浅く腰掛けた人の臀部が当たる前部を除いた部分の上面は、正面視及び縦断側面視で凹凸がないノーマル面部になっている一方、前記座板の前部の上面は、左右中間部に位置したサドル部の左右両側に下向きの凹所を配置した凹凸面部になっており、前記サドル部は、前記ノーマル面部を全く又は殆ど前傾させることなく手前に延長させた形態であり、前記左右の凹所は、手前に行くに従って徐々に深くなるように前記ノーマル面部とサドル部とに滑らかに連続している。
【００１０】
請求項２の発明では、請求項１において、前記座板の上面には表皮材で覆われたクッションが張られている。また、請求項３の発明では、請求項２において、前記座板の凹凸面部はクッションに顕れておらず、クッションの上面全体が正面視で凹凸のないノーマル面になっている。
【００１１】
請求項４の発明は、請求項１〜３のうちのいずれかにおいて、前記座は、床に立った人が大腿部を傾斜させた中腰だと浅く腰掛けできるが深く腰掛けると足が床に届かない高さに脚装置で保持されており、前記脚装置に、人が前記座に深く腰掛けた状態で足を載せるステップ手段を設けている。
【００１２】
請求項５では座板を特定している。すなわちこの座板は、人が浅く腰掛けても身体が前向きにずれないように保持するサドル部を有するものであって、前記座板のうち浅く腰掛けた人の臀部が当たる前部を除いた部分の上面は、正面視及び縦断側面視で凹凸がないノーマル面部になっている一方、前記座板の前部の上面は、左右中間部に位置したサドル部の左右両側に下向きの凹所を配置した凹凸面部になっており、前記サドル部は、前記ノーマル面部を全く又は殆ど前傾させることなく手前に延長させた形態であり、前記左右の凹所は、手前に行くに従って徐々に深くなるように前記ノーマル面部とサドル部とに滑らかに連続している。
【発明の効果】
【００１３】
本願発明では、座板の前部にサドル部が形成されているため、人が大腿部を傾斜させた中腰気味姿勢で座の前部に浅く腰掛けた状態であっても、サドル部が身体に対する抵抗として作用することにより、身体の前滑り阻止することができる。また、サドル部はその左右両側を凹ませることで形成しているため、人の股部がサドル部に強く引っ掛かるようなことはなく、このため浅く腰掛けた状態で人に違和感を与えることを防止又は著しく抑制できると共に、使用者の大腿部を圧迫することもない。
【００１４】
更に、座板の上面のうち前部を除いた大部分はノーマル面部になっているため、人が深く腰掛けた状態で座面が股部に食い込むような現象が生じることはなく、従って、深く腰掛けた状態で違和感・不快感を受けることを的確に阻止できる。
【００１５】
さて、人が座に浅く腰掛けた状態では人の臀部は座の前部に載るだけであり、座面の大部分は空いたままである。すなわち、浅く腰掛けた状態で人の身体の前滑りを阻止する機能は座の前部に持たせたら足りるのであり、本願発明のように前部のみを凹凸面部としても、身体の前滑りは的確に阻止できる。
【００１６】
そして、座板の上面の大部分がノーマル面部であることと、前部のサドル部はその左右両側を下向きに凹ませることで形成されていてサドル部が大きく目立つことがないこととにより、跨がるタイプであるかのようなイメージを使用者に抱かせることはなくて、使用者が視覚的に嫌悪感を持つことを防止できる。すなわち、本願発明の椅子・座板は、跨がるタイプではなくて通常の腰掛けるタイプとして認識されるのであり、このため、女性にも受け入れられやすい。
【００１７】
結局、本願発明の椅子・座板は、見た目による嫌悪感や使用した状態での違和感・不快感を使用者に与えることなく、中腰で浅く腰掛けた状態での身体の前滑りを的確に阻止することができる。なお、浅く腰掛けた人の身体（臀部）を圧迫感なしで支持するには、凹所にはある程度の面積が必要である。この点、座板のうち前側の５〜１０センチ前後（好適には８センチ前後）の範囲にサドル部と左右凹所とを形成すると、深く腰掛けた状態で違和感を与えることなく安定的に支持できると共に、浅く腰掛けた状態でも圧迫感を与えることなく身体を支持できて好適であった。
【００１８】
座板は上面を露出させた状態で使用することも可能であるが、請求項２のようにクッションを張ると、使用者の身体への当たりを柔らかくすることができて好適である。請求項２のうにクッションを重ね配置する場合、クッションの前部の上面を座板の凹凸に倣った形状にするとこととも可能であるし、請求項３のようにクッションの上面の全体をノーマル面とすることも可能である。後者のように、座板の前部の凹凸を表面に顕さずにクッションの上面の全体をノーマル面に設定すると、外観上は通常の椅子と変わらないため、見た目で嫌悪感を受けることを確実に防止できる利点がある。
【００１９】
請求項４の発明では、人は、足を床に付けて椅子に浅く腰掛けたり、足をステップ手段に載せて深く腰掛けたりと、必要に応じて使い分けることができるため、ユーザーフレンドリーである。
【図面の簡単な説明】
【００２０】
【図１】実施形態に係る椅子の全体的な外観図で、（Ａ）は斜視図、（Ｂ）は側面図である。
【図２】座板を露出させた状態での斜視図である。
【図３】座板を裏返した状態での斜視図である。
【図４】（Ａ）は前方から見た斜視図、（Ｂ）は要部正面図である。
【図５】座クッションを省略した状態での平面図である。
【図６】下段は座板のみ図５のVIA-VIA 視断面図、上段は図５のVIA-VIA 視〜VID-VID 視での座板の上面のプロフィールを重ねて示した図である。
【図７】図５及び図６の VII-VII断面図である。
【図８】図５及び図６の VIIIA-VIIIA視〜VIIIF-VIIIF 視で見た座板の上面のプロフィールを上下に並べて表示した図である。
【図９】図５及び図６の VIIIF-VIIIF視断面図である。
【発明を実施するための形態】
【００２１】
(1).椅子の概要
次に、本願発明の実施形態を説明する。まず、主として図１〜４に基づいて椅子の概要を説明する。椅子１は、主要要素として脚装置１と座２と背もたれ３とを備えている。脚装置１は、放射状の枝足を有する本体４にガスシリンダより成る脚支柱５を立設した一般的な形態であり、各枝足の先端にはキャスタを設けている。
【００２２】
本実施形態の椅子はハイ・ポジション・タイプであり、座２は通常の事務用椅子に比べて高い高さに設定されている。このため、一般的な身長の成人使用者が床に足を付けた状態で使用する場合は、大腿部を傾斜させた中腰気味の姿勢で座３に浅く腰掛けて使用される。他方、一般的な身長の成人の場合、深く腰掛けようとすると場合は足が床に着かないので、図１〜３に示すように、脚装置１を構成する本体４には脚支柱５を包む外筒６を固定して、この外筒６に、ステップ手段の一例としてのパイプ製足載せリング７が放射状のバー８を介して固定している。
【００２３】
脚支柱５の上端にはベース９を固定している。例えば図３に示すように、ベース９は上向きに開口した浅い箱状の形態であり、その内部に補助ブラケット１０を固定し、ベース９と補助ブラケット１０とに設けたブッシュ１１（図７参照）に、脚支柱５の上端部を下方から嵌着している。また、ベース９には、脚支柱５のロックを解除するための昇降操作レバー１２を設けている。
【００２４】
例えば図７に明示するように、座２は樹脂製の座板（座インナーシェル）１４とその上面に重ね配置したクッション１５とを有しており、クッション１５はクロス等の表皮材（図示せず）で上から覆われている。表皮材の周縁には紐（又は線材）が取り付けられている一方、図３に示すように、座板１４の下面のうち周縁寄りの箇所には、紐を係止するための鉤体１６が飛び飛びで多数形成されている。
【００２５】
座板１４は基本的には着座者の体圧で撓み変形しない剛体構造であり、その下面には、ベース９を左右と手前から囲う第１囲い壁１７とその外側に位置した第２囲い壁１８とが下向きに突設されており、両囲い壁１７，１８の内側に多数の補強リブ１９を下向きに突設している。そして、図３に示すように、座板１４はベース９の四隅部にビス２０で固定されている。
【００２６】
ベース９は外向きに張り出したフランジ９ａを有しており、ビス２０はフランジ９ａに設けた受け座２１に下方から貫通して、座板１４に装着したナット（図示せず）にねじ込まれている。図２に示すように、座板１４の上面にはナットが回転不能に嵌まるナット保持穴２２を設けている。なお、本実施形態では座板１４をベース９に直接固定しているが、ベース９に中間部材（アウターシェル）を固定し、この中間部材に座２（座板１４）を取り付けることも可能である。その場合、座２を中間部材に対して前後位置調節可能に装着することも可能である。
【００２７】
背もたれ３は、裏面を構成するアウターシェル２３と、アウターシェル２３の前面に固定されたインナーシェル（図示せず）と、インナーシェルの前面に張られたクッションとを有しており、クッションの前面はクスロ等の表皮材で覆われている。アウターシェル２３は、ベース９の左右両側に配置した左右の傾動フレーム２４の後端に固定されており、図３に示すように、傾動フレーム２４は、その前端部を中心にして後傾動するように枢軸２５でベース９に連結されており、傾動フレーム２４の後傾動はベース９の内部に配置したばね（図示せず）で弾性的に支持される。すなわち、本実施形態の椅子は、背もたれ３が後傾するロッキング椅子である。もとより、背もたれ３は後傾しない固定タイプであってもよい。
【００２８】
(2).座の詳細
次に、図５以下の図面も参照して座２の詳細を説明する。図２や図４，図６，図８等から理解できるように、座板１４の上面は、その前部を除いた相当の範囲（８割程度の範囲）は、正面視では上向き凹状に緩く凹んでいて凹凸が無くて縦断側面視では水平に対して僅かに後傾したノーマル面部１４ａになっている（座板１４の後端部は上向きに緩く立ち上がっている。）。
【００２９】
他方、座板１４の上面のうち前側の８センチ程度の範囲は、正面視で左右中間部にサドル部２７が位置してその左右両側が下向きの凹所２８になった凹凸面部１４ｂになっており、サドル部２７は、ノーマル面部１４ａをそのまま手前に延長させた半島状部と成すことで形成されており、従って、凹所２８は、ノーマル面部１４ａ及びサドル部２７から下向きに傾斜している。
【００３０】
例えば図８や図６から明瞭に把握できるように、左右の凹所２８は手前に行くに従って徐々に深くなっており、従って、凹所２８の底面は後ろから手前に向けて低くなるように傾斜している。また、図８から理解できるように、正面での凹所２８の曲率は手前に行くほど小さくなっており、従って、凹所２８はノーマル面部１４ａとサドル部２７とに滑らかに連続している。サドル部２７は隆起した尾根状の形態であるが、図８から理解できるように、手前に行くに従って正面視での曲率が小さくなるように設定されている。
【００３１】
既述のとおりノーマル面部１４ａは概ね前後方向の８割程度に範囲に広がっており、従って、凹凸面部１４ｂは座板１４のうち前後方向の２割程度の範囲になっている（但し、ノーマル面部１４ａと凹凸面部１４ｂとは滑らかに連続していて境界は明瞭でないので、８割と２割という数字はおおまかな目安にすぎない。）。実寸では、凹凸面部１４ｂは８センチ程度の前後幅になっている。
【００３２】
図５に明示するように、座板１４の前端は平面視で殆ど横長の直線に近い状態に揃えているが、前向き凸状に緩く湾曲させたり、逆に、前向き凹状に緩く湾曲させたりすることも可能である。この場合の突出量又は凹み量は例えば３センチ程度でよい。
【００３３】
座板１４は凹凸面部１４ｂを有するが、図９に示すように、クッション１５の上面には凹凸面部１４ｂの形状は反映させておらず、ノーマル面部１４ａにおけるクッション１５の上面をそのまま延長させた状態になっている。従って、凹凸面部１４ｂに対応した箇所では、クッション１５の厚さはサドル部２７の箇所と凹所２８とで相違している。なお、クッション１５はそれのみを単体で成形して座板１４に重ね合わせてもよいし、インサート成形方で座板１４にインサート成形してもよい。
【００３４】
クッション１５の上面はその全体がノーマルな状態になっているため、見た目において「跨がる椅子」という印象を使用者に与えることはなく、このため、見た目において使用者に嫌悪感を与えることはない。なお、クッション１５を使用せずに座板１４を露出させたタイプも有り得るが、凹凸面部１４ｂの範囲は少なくて大部分がノーマル面部１４ａで構成されているため、凹凸面部１４ｂの存在によって使用者に嫌悪感を与えることはないと言える。クッション１５と等しい厚さの材料（シートクッション）を使用して、クッション１５の前部が凹凸面部１４ｂの形状に倣った凹凸になっている場合も同様である。
【００３５】
他方、使用者が大腿部を傾斜させた中腰気味に浅く腰掛けると、サドル部２７が使用者の股部に対してクッション１５を介して抵抗として作用するため、前滑りを阻止して身体の安定性を確保することができる。そして、サドル部２７はノーマル面部１４ａをそのまま延長することで形成されているため、使用者の股部を過度に圧迫することはなくて、使用者に不快感を与えることはない。つまり、浅く腰掛けた状態での身体の前滑りを自然な状態で阻止できる。
【００３６】
更に、使用者が深く腰掛けた状態では体圧の大部分が座２の後半部で支持されていることが普通であり、大腿部は座２の前部から浮いているか又は軽く当たっているに過ぎない場合が多いが、本願発明では、座板１４のうち後ろ側の大部分の上面は緩く湾曲したノーマル面部１４ａになっているため、深く腰掛けた状態で股部が突き上げられるような現象はなく皆無であり、このため深く腰掛けた状態の使用者に違和感や不快感を与えるようなことはない。
【００３７】
(3).その他
本願発明は、上記の実施形態の他にも様々に具体化できる。例えば適用対象の椅子は移動式のものには限らず、講堂用椅子や劇場用椅子のような固定式の椅子にも適用できる。座板の素材には限定はなく、例えば合板のような木質系板なども使用できる。座板を樹脂製とした場合、例えば座骨が当たる部分を中心にして多数のスリットの群を設けるなどして、ノーマル面部が体圧で下向きに沈むように変形する構成を採用することも可能である。
【００３８】
ステップ手段は、例えば円板状に構成することも可能である。座と脚装置との相対的な姿勢が一定になっているタイプの椅子の場合（すなわち回転椅子でない場合）は、座の下方のみに足載せ台等のステップ手段を設けることも可能である。
【産業上の利用可能性】
【００３９】
本願発明の椅子は実際に製造して市場に提供できる。従って、産業上利用できる。
【符号の説明】
【００４０】
１  脚装置
２  座
３  背もたれ                                                                    ７  ステップ手段の一例としての足載せリング
９  ベース
１４  座板
１４ａ  ノーマル面部
１４ｂ  凹凸面部
１５  クッション
２７  サドル部
２８  凹所
【図１】
2014046127.tif 000003
【図２】
2014046127.tif 000004
【図３】
2014046127.tif 000005
【図４】
2014046127.tif 000006
【図５】
2014046127.tif 000007
【図６】
2014046127.tif 000008
【図７】
2014046127.tif 000009
【図８】
2014046127.tif 000010
【図９】
2014046127.tif 000011